(57)【要約】【課題】部品を分解したり、ドレン穴を設けたりすることなく、通水停止時に内部の水を排水することができ、さらに、通水時には水中の気泡を低減することができるストレーナを提供することを課題とする。【解決手段】ストレーナＳであって、入水口１１及び排水口１２が形成されている本体下部１０と、本体下部１０の上面に立設された筒状のエレメント２０と、上端部が閉塞され、下端部は開口されたカップ状の部材であり、エレメント２０に被せられている本体上部３０とを備え、エレメント２０の外周面と、本体上部３０の内周面との間には流水空間４０が形成されており、本体下部１０には、入水口１１から流水空間４０に連通している入水路１３と、エレメント２０の中空部１１から排水口１２に連通している排水路１４とが形成されていることを特徴としている。【選択図】図３
2008155189.tif 000002
【特許請求の範囲】
【請求項１】
外面に入水口及び排水口が形成されている本体下部と、
前記本体下部の上面に立設された筒状体であり、外周面から中空部に通過する水を濾過するエレメントと、
上端部が閉塞され、下端部は開口されたカップ状の部材であり、前記エレメントに被せられている本体上部と、を備え、
前記本体上部の下端部は前記本体下部の上面に取り付けられ、前記エレメントの外周面と、前記本体上部の内周面との間には流水空間が形成されており、
前記本体下部には、前記入水口から前記流水空間に連通している入水路と、前記エレメントの中空部から前記排水口に連通している排水路と、が形成されていることを特徴とするストレーナ。
【請求項２】
前記本体下部には、前記流水空間の水流が前記エレメントの外周を旋回するように、前記入水路から前記流水空間に吐出される水を誘導する流水誘導部が形成されていることを特徴とする請求項１に記載のストレーナ。
【請求項３】
前記本体上部の下端開口縁の全周に亘って形成されたねじ溝が、前記本体下部の上面に形成されたねじ溝に螺着されることにより、前記本体上部が前記本体下部の上面に脱着自在に取り付けられていることを特徴とする請求項１又は請求項２に記載のストレーナ。
【発明の詳細な説明】
【技術分野】
【０００１】  本発明は、高圧洗浄機や散水装置等の作業機械において、使用する水から異物を除去するためのストレーナに関する。
【背景技術】
【０００２】  建設作業機械や自動車等の対象物に高圧水を吹き付けて洗浄するための高圧洗浄機としては、ポンプの吸込部に吸水管が連結され、ポンプの吐出部には吐出管が連結されており、吐出管の先端部には噴射ガンが連結されているものがある。【０００３】  このような高圧洗浄機では、吸水管の先端部を貯水槽の水中に沈めてポンプを作動させると、吸水管を通じてポンプに水が吸い込まれる。この水はポンプから吐出管を通じて噴射ガンに送り込まれ、作業者が噴射ガンを操作することにより、噴射ガンのノズルから対象物に向けて高圧水を噴射することができる。【０００４】  また、前記した高圧洗浄機では、水中の塵（異物）によるポンプや噴射ガンの故障を防ぐために、水中の塵を除去するストレーナが設けられている。【０００５】  従来のストレーナとしては、図７に示すように、入水口１３１及び排水口１３２が形成された本体上部１３０と、この本体上部１３０の下面に立設された筒状のエレメント１２０と、上端部が開口され、下端部は閉塞されたカップ状の部材である本体下部１１０とを備えているストレーナＳＳがある。
このストレーナＳＳは、吸水管３の中間部に設けられており、入水口１３１には上流側吸水管３ａが連結され、排水口１３２には下流側吸水管３ｂが連結されている。【０００６】  また、ストレーナＳＳでは、本体下部１１０の上端開口縁が本体上部１３０の下面に取り付けられることにより、本体下部１１０がエレメント１２０に被せられており、エレメント１２０の外周面と本体下部１１０の内周面との間には流水空間１４０が形成されている。
さらに、本体上部１３０には、入水口１３１から流水空間１４０に連通している入水路１３３と、エレメント１２０の中空部から排水口１３２に連通している排水路１３４とが形成されている。【０００７】  このような従来のストレーナＳＳにおいて、入水口１３１から排水口１３２へと通水したときには、入水路１３３から流水空間１４０に水が吐出され、この水はエレメント１２０の外周面から中空部に通過して濾過される。その後、水はエレメント１２０の中空部から排水路１３４を通じて排水される。また、従来のストレーナＳＳでは、流水空間１４０の水流がエレメント１２０の外周面に沿って旋回するように構成されている（例えば、特許文献１参照）。【０００８】
【特許文献１】  特許３６８９６９２号公報（段落００１７、図１）
【発明の開示】
【発明が解決しようとする課題】
【０００９】  前記した従来のストレーナＳＳでは、入水口１３１から排水口１３２への通水を停止したときには、カップ状の本体下部１１０の底部に水が溜まってしまう。そして、本体下部１１０内に水を放置しておくと、水中に発生した藻がエレメント１２０に付着し、エレメント１２０が目詰まりして、ストレーナＳＳの処理能力が低下してしまうという問題がある。そこで、高圧洗浄機の運転停止後に、本体上部１３０から本体下部１１０を取り外したり、本体下部１１０に形成されたドレン穴１１１を開放したりして、本体下部１１０内に溜まった水を排水する必要があり、ストレーナＳＳの水抜き作業が煩雑になってしまうという問題がある。【００１０】  また、ストレーナＳＳの通水時に流水空間１４０に吐出された水は、下方に向けて流れるため、水中に気泡が滞留し易くなっている。そして、水中の気泡をポンプ（図示せず）が吸い込んだ場合には、ポンプの吸込部でキャビテーションが発生し、ポンプに異常振動が生じたり、吸水バルブが破損したりする可能性がある。【００１１】  そこで、本発明では、前記した問題を解決し、部品を分解したり、ドレン穴を設けたりすることなく、通水停止時に内部の水を排水することができ、さらに、通水時には水中の気泡を低減することができるストレーナを提供することを課題とする。
【課題を解決するための手段】
【００１２】  前記課題を解決するため、本発明は、ストレーナであって、外面に入水口及び排水口が形成されている本体下部と、本体下部の上面に立設された筒状体であり、外周面から中空部に通過する水を濾過するエレメントと、上端部が閉塞され、下端部は開口されたカップ状の部材であり、エレメントに被せられている本体上部と、を備え、本体上部の下端部は本体下部の上面に取り付けられ、エレメントの外周面と、本体上部の内周面との間には流水空間が形成されており、本体下部には、入水口から流水空間に連通している入水路と、エレメントの中空部から排水口に連通している排水路と、が形成されていることを特徴としている。【００１３】  この構成では、下端部が開口したカップ状の本体上部が、入水口及び排水口が形成された本体下部の上面に取り付けられており、通水停止時には、本体上部の下部に水が溜まることになる。すなわち、本体下部の上面に水が溜まることになり、この水は本体下部に形成された入水路又は排水路から排水されることになる。したがって、本発明のストレーナでは、部品を分解したり、ドレン穴を設けたりすることなく、通水停止時に内部の水が排水されるため、ストレーナの水抜きを容易に行うことができる。【００１４】  また、通水時に流水空間に吐出された水は、上方に向けて流れるため、水中の気泡は本体上部の頂部に溜まることになる。これにより、本体上部の下部では水中の気泡が低減されるため、気泡の吸い込みによるポンプの故障を防ぐことができる。【００１５】  ここで、通水停止後に入水口から排水口に空気を通気させて空運転を行うことにより、ストレーナの水抜きを行う場合がある。この空運転を行った場合には、流水空間に吐出された空気は上方に向けて流れながらエレメントに吸い込まれるため、流水空間に溜まった塵（異物）がエレメントの外周面に吸着することになる。したがって、空運転の停止後に、本体下部からエレメントを取り外すことにより、ストレーナの内部に溜まった塵の除去とエレメントの清掃とを一括して行うことができる。【００１６】  前記したストレーナにおいて、本体下部には、流水空間の水流がエレメントの外周を旋回するように、入水路から流水空間に吐出される水を誘導する流水誘導部が形成されているように構成することができる。【００１７】  この構成では、流水空間で水流が旋回することにより、水中の塵（異物）は遠心力によって外方に押し出されることになる。さらに、エレメントの外周面に塵が付着してしまった場合であっても、流水空間を旋回する水流によって塵が剥がされることになる。このように、エレメントの外周面に塵が付着し難くなっているため、エレメントが早期に目詰まりしてしまうことを防ぐことができる。【００１８】  なお、流水誘導部の構成は限定されるものではなく、例えば、入水路側から流水空間側に向かうに連れて上向きに傾斜させながら、エレメントの外周面に沿って湾曲させた螺旋状の通路によって構成することができる。この構成では、流水誘導部は流水空間側から入水路側に向けて下向きに傾斜しており、通水停止時に本体下部の上面に溜まった水が、流水誘導部内を入水路に向けて流れ易くなっているため、ストレーナ内の水を確実に排水すること���できる。【００１９】  前記したストレーナにおいて、本体上部の下端開口縁の全周に亘って形成されたねじ溝が、本体下部の上面に形成されたねじ溝に螺着されることにより、本体上部が本体下部の上面に脱着自在に取り付けられているように構成することができる。【００２０】  この構成では、本体上部全体を本体下部に対して軸回りに回転させることにより、本体下部から本体上部を取り外して、エレメントを外部に露出させることができるため、エレメントを容易に清掃又は交換することができる。
【発明の効果】
【００２１】  本発明のストレーナによれば、通水停止時に本体下部の上面に溜まった水は、本体下部に形成された入水路又は排水路から排水されることになる。したがって、部品を分解したり、ドレン穴を設けたりすることなく、通水停止時に内部の水が排水されるため、ストレーナの水抜きを容易に行うことができる。
また、水中の気泡は本体上部の頂部に溜まることになり、本体上部の下部では水中の気泡が低減されるため、気泡の吸い込みによるポンプの故障を防ぐことができる。
また、空運転を行った場合には、ストレーナ内に溜まった塵（異物）がエレメントの外周面に吸着されるため、空運転の停止後に、本体下部からエレメントを取り外すことにより、ストレーナ内に溜まった塵の除去とエレメントの清掃とを一括して行うことができる。
【発明を実施するための最良の形態】
【００２２】  次に、本発明の実施形態について、適宜図面を参照しながら詳細に説明する。
本実施形態では、建設作業機械や自動車等の対象物に高圧水を吹き付けて洗浄するための高圧洗浄機に用いられるストレーナを例として説明する。以下の説明では、最初に高圧洗浄機の全体構成について説明した後に、ストレーナについて詳細に説明する。【００２３】［高圧洗浄機の全体構成］
図１は、本実施形態のストレーナを用いた高圧洗浄機を示した全体斜視図である。
高圧洗浄機１は、図１に示すように、本体ケース２に収容されたポンプ（図示せず）の吸込部に吸水管３が連結されるとともに、ポンプの吐出部には余水管６及び吐出管４がそれぞれ連結されており、吐出管４の先端部には噴射ガン５が連結されている。
また、吸水管３の中間部には、ストレーナＳが連結されており、このストレーナＳを境にして、上流側（貯水槽側）の上流側吸水管３ａと、下流側（ポンプ側）の下流側吸水管３ｂとに分割されている。【００２４】  このような高圧洗浄機１では、上流側吸水管３ａの先端部を貯水槽（図示せず）の水中に沈ませてポンプを作動させると、吸水管３を通じてポンプに水が吸い込まれる。この水はポンプから吐出管４を通じて噴射ガン５に送り込まれ、作業者が噴射ガン５を操作することにより、噴射ガン５のノズル５ａから対象物に向けて高圧水を噴射することができる。また、噴射ガン５から噴射されないポンプ内の水は、余水として余水管６から貯水槽に戻される。例えば、１０リッターの水を噴射ガン５から噴射する場合には、１２リッターの水を吸水管３からポンプに吸水し、この吸水した水のうち、２リッターを余水とし貯水槽に戻し、１０リッターを噴射ガン５から噴射することになる。【００２５】  また、高圧洗浄機１では、水中の塵（異物）によるポンプや噴射ガン５の故障を防ぐため、上流側吸水管３ａの先端部に設けられたストレーナ（図示せず）と、上流側吸水管３ａと下流側吸水管３ｂとの間に設けられたストレーナＳとによって水を濾過している。【００２６】  なお、本実施形態において、本発明の構成を適用したストレーナは、上流側吸水管３ａと下流側吸水管３ｂとの間に設けられたストレーナＳであり、上流側吸水管３ａの先端部に設けられたストレーナは、管体の先端部に取り付けられる各種公知の濾過装置を用いているため、その詳細な説明は省略する。【００２７】［ストレーナの全体構成］
次に、本発明の構成を適用したストレーナＳについて詳細に説明する。
図２は、本実施形態のストレーナを示した全体斜視図である。図３は、本実施形態のストレーナを示した側断面図である。図４は、本実施形態のストレーナにおける本体下部及びエレメントを示した斜視図である。図５は、本実施形態のストレーナにおける本体下部及びエレメントの支持部を示した分解斜視図である。図６は、本実施形態のストレーナにおけるエレメントの分解斜視図である。【００２８】  ストレーナＳは、図３に示すように、入水口１１及び排水口１２が形成されている本体下部１０（図２参照）と、この本体下部１０の上面に立設された筒状のエレメント２０（図４参照）と、上端部が閉塞され、下端部は開口されたカップ状の部材であり、エレメント２０に被せられている本体上部３０（図２参照）とを備えている。本体上部３０の下端開口縁３１は、本体下部１０の上面に取り付けられており、エレメント２０の外周面と、本体上部３０の内周面との間には流水空間４０が形成されている。【００２９】  このストレーナＳでは、入水口１１に供給された水は流水空間４０に吐出され、この水が流水空間４０からエレメント２０を通過して濾過された後に、排水口１２から排水されるように構成されている。【００３０】（本体下部の構成）
本体下部１０は、図５に示すように、平面視で円形状の部材であり、その外周面には入水口１１及び排水口１２が形成されている。この入水口１１及び排水口１２は、水平方向に開口している円形状の開口部であり、本体下部１０の中心部を挟んで対向する位置に設けられている。【００３１】  この本体下部１０は、図１に示すように、高圧洗浄機１の本体ケース２の側面下部に設けられた取付用ブラケット２ａの上面に載置されており、本体下部１０の下面が取付用ブラケット２ａの上面にボルト等の連結手段を用いて固定されている。
そして、入水口１１には上流側吸水管３ａが連結され、排水口１２には下流側吸水管３ｂが連結されている。なお、入水口１１と上流側吸水管３ａ、及び排水口１２と下流側吸水管３ｂは、カプラ等の各種公知の連結手段を用いて連結されており、その構成は限定されるものではない。【００３２】  また、本体下部１０には、図３に示すように、入水口１１から上面に貫通している入水路１３と、排水口１２から上面に貫通している排水路１４とが形成されている。【００３３】  入水路１３は、入水口１１から図３の左側に向けて水平方向に延長された後に、本体下部１０の中心部よりも図３の右寄りの位置で上方に向けて屈曲して、本体下部１０の上面に開口している。【００３４】  また、本体下部１０の上面には、入水路１３の開口部から延長された第一流水誘導溝１５が形成されている。
第一流水誘導溝１５は、図５に示すように、入水路１３の開口部から本体下部１０の中心軸回りに湾曲して延長された凹溝である。この第一流水誘導溝１５の底面は、入水路１３側の一端から他端に向かうに連れて上向きに傾斜している。すなわち、第一流水誘導溝１５は螺旋状の溝となっている。【００３５】  また、本体下部１０の上面において、第一流水誘導溝１５よりも外側には、円周壁部１６が立ち上げられており、この円周壁部１６の内周面には、全周に亘って雌ねじが形成されている。【００３６】  排水路１４は、図３に示すように、排水口１２から図３の右側に向けて水平方向に延長された後に、本体下部１０の中心部で上方に向けて屈曲して、本体下部１０の上面に開口している。
また、本体下部１０の上面において、排水路１４の開口縁にはリブ１４ａが立ち上げられている。なお、リブ１４ａと第一流水誘導溝１５とは所定間隔を離して配置されている。【００３７】（エレメントの構成）
エレメント２０は、図４に示すように、本体下部１０の上面に立設された筒状体であり、その外周面から中空部に通過する水を濾過するものである。
このエレメント２０は、図６に示すように、本体下部１０（図３参照）の上面に載置される支持部２１と、この支持部２１の上面に立設される円筒状のフレーム２２と、このフレーム２２に外嵌されるフィルタ２３と、フレーム２２の上端部に取り付けられるキャップ２４とを備えている。【００３８】  支持部２１は、図５に示すように、平面視で円形リング状の板部材であり、本体下部１０のリブ１４ａと円周壁部１６との間に嵌め込まれた状態で、本体下部１０の上面に載置される部材である。
支持部２１の中央部には、リブ１４ａが挿通される中央穴２１ａが形成されており、中央穴２１ａの開口縁の一部には、内側に向けて突出した突起部２１ｂが形成されている。なお、本体下部１０のリブ１４ａの外周面には、突起部２１ｂが係合可能な係合溝１４ｂが形成されている。
したがって、支持部２１を本体下部１０の上面に取り付けたときには、支持部２１の突起部２１ｂと、本体下部１０のリブ１４ａの係合溝１４ｂとが係合するため、支持部２１が本体下部１０に対して周方向に回転しないように構成されている。【００３９】  また、支持部２１の下面には、支持部２１を本体下部１０の上面に取り付けたときに、本体下部１０の上面に形成された第一流水誘導溝１５に重なるようにして、第二流水誘導溝２１ｃが形成されている。
第二流水誘導溝２１ｃは、入水路１３の開口部から第一流水誘導溝１５に沿って湾曲して延長された凹溝である。この第二流水誘導溝２１ｃの頂面は、入水路１３側の一端から他端に向かうに連れて上向きに傾斜している。すなわち、第二流水誘導溝２１ｃは螺旋状の溝となっており、その他端は接線方向に向けて開口している。【００４０】  そして、支持部２１が本体下部１０の上面に載置されたときには、支持部２１の第二流水誘導溝２１ｃと本体下部１０の第一流水誘導溝１５とが重なることにより、本体下部１０の上面に中空の流水誘導路５０（特許請求の範囲における「流水誘導部」）が形成されることになる。この流水誘導路５０は、入水路１３の開口部から中心軸回りに湾曲して延長され、入水路１３側の一端から他端に向かうに連れて上向きに傾斜し、他端が接線方向に向けて開口した螺旋状の流水路となっている。【００４１】  さらに、支持部２１の上面において、中央穴２１ａと第二流水誘導溝２１ｃとの間には支持溝２１ｄが形成されている。この支持溝２１ｄは、フレーム２２及びフィルタ２３の下端開口縁が嵌め込まれる円周状の凹溝である（図３参照）。【００４２】  フレーム２２は、図６に示すように、上下端部が開口している円筒状の部材であり、周壁部全体が格子状に開口している。このフレーム２２は、図３に示すように、下端開口縁が支持部２１の支持溝２１ｄに嵌め込まれることにより、支持部２１の上面に垂設されている。【００４３】  フィルタ２３は、図６に示すように、通水可能な円筒状の部材であり、外周面から内周面に通過する水から塵（異物）を除去して、水を濾過するものである。なお、フィルタ２３の材質は限定されるものではなく、各種公知の濾過部材を用いることができ、例えば、スポンジや合繊素材を用いることができる。【００４４】  また、フィルタ２３は、図３に示すように、軸方向の長さがフレーム２２の軸方向の長さと同じであり、フィルタ２３をフレーム２２に外嵌させたときには、フレーム２２の外周面全体がフィルタ２３によって覆われた状態となる。
そして、フレーム２２が支持部２１に取り付けられたときには、フィルタ２３の下端開口縁は、フレーム２２の下端開口縁とともに、支持溝２１ｄに嵌め込まれることになる。【００４５】  キャップ２４は、図６に示すように、平面視で円形状の部材であり、フレーム２２の上端部に取り付けられるものである。このキャップ２４の下面には、図３に示すように、取付溝２４ａが形成されている。この取付溝２４ａは、フレーム２２及びフィルタ２３の上端開口縁が嵌め込まれる円周状の凹溝である。【００４６】  また、キャップ２４の上面には、後記する本体上部３０の内面の頂部に形成された突起部３２が挿入される位置決め溝２４ｂが形成されている。この位置決め溝２４ｂは平面視で円形状の凹溝であり、キャップ２４の上面の中央部に形成されている。【００４７】（本体上部の構成）
本体上部３０は、図２に示すように、円周形状の外周壁部の上端部が閉塞され、下端部は開口されたカップ状の部材であり、図３に示すように、下端開口縁３１が本体下部１０の上面に取り付けられており、エレメント２０全体に被せられている。
この本体上部３０は透明な部材であり、外部から内部を視認することができる。そのため、エレメント２０への塵の付着状態を容易に確認することができ、付着した塵が多い場合には、エレメント２０を適宜に清掃することができる。【００４８】  本体上部３０の下端開口縁３１の外周面には、全周に亘って雄ねじが形成されており、この下端開口縁３１の雄ねじが、本体下部１０の円周壁部１６の内周面に形成された雌ねじに螺合するように構成されている。したがって、本体上部３０全体を軸回りに回転させることにより、本体上部３０を本体下部１０に対して脱着させることができる。【００４９】  本体上部３０を本体下部１０の上面に取り付けた状態では、エレメント２０の外周面と、本体上部３０の内周面との間に流水空間４０が形成されている。この流水空間４０は、円周状の中空空間であり、入水路１３に供給された水が流水誘導路５０を通じて吐出されるように構成されている。【００５０】  また、本体上部３０を本体下部１０の上面に取り付けたときには、本体上部３０の内面の頂部が、エレメント２０のキャップ２４の上面に当接して、エレメント２０の上端部を押さえている状態となっている。
さらに、本体上部３０の内面の頂部には、平面視で円形状の突起部３２が突設されており、この突起部３２はエレメント２０のキャップ２４の位置決め溝２４ｂに挿入されている。
このように、本体上部３０の内面の頂部によって、エレメント２０の上端部が押さえられるとともに位置決めされるため、本体下部１０の上面に立設されたエレメント２０の振れが防止されている。【００５１】［ストレーナによる水の濾過処理］
次に、本実施形態のストレーナＳによる水の濾過処理について説明する。
図１に示す高圧洗浄機１において、上流側吸水管３ａの先端部を貯水槽（図示せず）の水中に沈ませてポンプ（図示せず）を作動させると、ポンプの吸引作用によって上流側吸水管３ａの先端部から水が吸い込まれる。この水は上流側吸水管３ａからストレーナＳの入水口１１に供給される。【００５２】  入水口１１に供給された水は、図３に示すように、入水路１３から流水誘導路５０を通じて流水空間４０に吐出される。
流水誘導路５０は、入水路１３の開口部から中心軸回りに湾曲して延長され、入水路１３側の一端から他端に向かうに連れて上向きに傾斜し、他端は接線方向に開口している螺旋状の流水路であるため（図４参照）、流水誘導路５０から流水空間４０に吐出された水は、本体上部３０の内周面に沿って旋回しながら上方に向けて流れる。すなわち、流水空間４０では、エレメント２０の外周面に沿って旋回しながら上方に向けて流れる水流が生じることになる。【００５３】  そして、流水空間４０に吐出された水は、ポンプ（図示せず）の吸引作用によって、エレメント２０の外周面から中空部に吸い込まれて排水路１４に流れる。このとき、水がエレメント２０のフィルタ２３を通過することにより、水中の塵が除去されて、水が濾過される。【００５４】  このようにして濾過された水は、エレメント２０の中空部から排水路１４を通じて下流側吸水管３ｂに排水される。この水は下流側吸水管３ｂを通じて高圧洗浄機１（図１参照）のポンプ（図示せず）の吸込部に吸い込まれ、さらに、ポンプの吐出部から吐出管４を通じて噴射ガン５に送り込まれる。【００５５】  ここで、図１に示す高圧洗浄機１による洗浄作業の終了後に、上流側吸水管３ａから空気を吸引し、ストレーナＳ及びポンプ（図示せず）に空気を通気させる空運転を行うことにより、ストレーナＳ及びポンプの水抜きを行う場合がある。【００５６】  本実施形態のストレーナＳにおいて、空運転を行った場合には、図３に示す入水路１３から流水誘導路５０を通じて流水空間４０に吐出された空気は、上方に向けて流れながらエレメント２０の外周面から中空部に吸い込まれる。これにより、流水空間４０に溜まった塵がエレメント２０の外周面に吸着するため、空運転の停止後に本体下部１０からエレメント２０を取り外すことにより、ストレーナＳの内部に溜まった塵を除去することができる。【００５７】［ストレーナの作用効果］
本実施形態のストレーナＳでは、図３に示すように、下端部が開口したカップ状の本体上部３０が、入水口１１及び排水口１２が形成された本体下部１０の上面に取り付けられており、通水停止時には、本体上部３０の下部に水が溜まることになる。すなわち、本体下部１０の上面に水が溜まることになり、この水は本体下部１０の入水路１３又は排水路１４から排水されることになる。
したがって、ストレーナＳでは、部品を分解したり、本体下部１０にドレン穴を設けたりすることなく、通水停止時に内部の水が排水されるため、ストレーナＳの水抜きを容易に行うことができる。【００５８】  また、通水時に本体下部１０の流水誘導路５０から流水空間４０に吐出される水は、上方に向けて流れるため、水中の気泡は本体上部３０の頂部に溜まることになる。これにより、本体上部３０の下部では水中の気泡が低減されるため、気泡の吸い込みによるポンプの故障を防ぐことができる。【００５９】  また、ストレーナＳの本体下部１０には、流水空間４０の水流をエレメント２０の外周に沿って旋回させるための流水誘導路５０が形成されている。そして、通水時に流水空間４０で水流が旋回することにより、水中の塵は遠心力によって外方に押し出されることになる。さらに、エレメント２０の外周面に塵が付着してしまった場合であっても、流水空間４０を旋回する水流によって塵が剥がされることになる。このように、エレメント２０の外周面に塵が付着し難くなっているため、エレメント２０が早期に目詰まりしてしまうことを防ぐことができる。【００６０】  なお、本体下部１０の上面に形成された流水誘導路５０は、入水路１３側から流水空間４０側に向かうに連れて上向きに傾斜して形成されており、通水停止時に本体下部１０の上面に溜まった水が、流水誘導路５０内を入水路１３に向けて流れ易くなっているため、ストレーナＳの内部に溜まった水を確実に排水することができる。【００６１】  また、入水口１１から排水口１２に空気を通気させる空運転を行った場合には、流水空間４０に吐出された空気は、上方に向けて流れながらエレメント２０に吸い込まれるため、流水空間４０に溜まった塵がエレメント２０の外周面に吸着することになる。したがって、空運転の停止後に、本体下部１０からエレメント２０を取り外すことにより、ストレーナＳの内部に溜まった塵の除去とエレメント２０の清掃とを一括して行うことができる。
また、流水空間４０の内部で塵が沈んだとしても、その塵は上体下部１０の上面に載置された支持部２１の上面に全て溜まるため、支持部２１を取り外すことにより、塵を容易に除去することできる。【００６２】  また、ストレーナＳでは、本体上部３０の下端開口縁３１が、本体下部１０の上面に螺着されることにより、本体上部３０が本体下部１０の上面に脱着自在に取り付けられている。したがって、本体上部３０全体を本体下部１０に対して軸回りに回転させることにより、本体下部１０から本体上部３０を取り外して、エレメント２０を外部に露出させることができ、エレメント２０を容易に清掃又は交換することができる。【００６３】  なお、図５に示すように、エレメント２０を本体下部１０の上面に取り付けたときには、エレメント２０の支持部２１の突起部２１ｂと、本体下部１０のリブ１４ａの係合溝１４ｂとが係合して、支持部２１が本体下部１０に対して周方向に回転しないように構成されている。したがって、本体上部３０を取り付けるときに、エレメント２０が本体上部３０とともに回転しないため、支持部２１の第二流水誘導溝２１ｃと本体下部１０の第一流水誘導溝１５との位置関係を保つことができ、流水誘導路５０を確実に形成することができる。【００６４】［他の実施形態］
以上、本発明の実施形態について説明したが、本発明は前記実施形態に限定されることなく、その趣旨を逸脱しない範囲で適宜に設計変更が可能である。例えば、本実施形態では、図５に示すように、入水路１３側から流水空間４０側（図３参照）に向かうに連れて上向きに傾斜させながら、旋回方向に湾曲させた螺旋状の流水誘導路５０によって、流水空間４０の水流を旋回させているが、流水空間４０で水流を旋回させるための構成は限定されるものではなく、水流を誘導する整流板を設けてもよい。
【図面の簡単な説明】
【００６５】
【図１】  本実施形態のストレーナを用いた高圧洗浄機を示した全体斜視図である。
【図２】  本実施形態のストレーナを示した全体斜視図である。
【図３】  本実施形態のストレーナを示した側断面図である。
【図４】  本実施形態のストレーナにおける本体下部及びエレメントを示した斜視図である。
【図５】  本実施形態のストレーナにおける本体下部及びエレメントの支持部を示した分解斜視図である。
【図６】  本実施形態のストレーナにおけるエレメントの分解斜視図である。
【図７】  従来のストレーナを示した側断面図である。
【符号の説明】
【００６６】  １      高圧洗浄機
２      本体ケース
３      吸水管
３ａ    上流側吸水管
３ｂ    下流側吸水管
４      吐出管
５      噴射ガン
６      余水管
１０    本体下部
１１    入水口
１２    排水口
１３    入水路
１４    排水路
１５    第一流水誘導溝
２０    エレメント
２１    支持部
２１ｃ  第二流水誘導溝
２２    フレーム
２３    フィルタ
３０    本体上部
４０    流水空間
５０    流水誘導路
Ｓ      ストレーナ
【図１】
2008155189.tif 000003
【図２】
2008155189.tif 000004
【図３】
2008155189.tif 000005
【図４】
2008155189.tif 000006
【図５】
2008155189.tif 000007
【図６】
2008155189.tif 000008
【図７】
2008155189.tif 000009